(57)【要約】【課題】正面から見た場合は絵柄は見えず、見る角度を変えた場合に絵柄が現れる装飾物を提供する。【解決手段】ブラインド効果装飾物１は、透過性を有する基材（透明基材）２の裏面に並行に配置された加飾線状パターン層３と、その隙間に配置されたレンズ効果を持つ透明パターン層４と、加飾線状パターン層３と透明パターン層４とを覆うように配置された光反射層５とを備え、さらに透過性を有する基材２の表面に、裏面の加飾線状パターン層３の隙間を埋めるように配置された線状パターン層６を備えている。【選択図】図１
2010111110.tif 000002
【特許請求の範囲】
【請求項１】
透過性を有する基材の裏面に配された加飾のための複数の第１のパターン層を有し、該複数の第１のパターン層の間にレンズ効果をもつ透明パターン層が配置され、前記第１のパターン層と前記透明パターン層とを覆うように光反射層が配され、該透過性を有する基材の表面に裏面の前記複数の第１のパターンの隙間を埋めるように配された第２のパターン層を有することを特徴とするブラインド効果装飾物。
【請求項２】
第１のパターン層は基材の裏面に並行に配された加飾線状パターン層であり、第２のパターン層は線状パターン層である。
請求項１記載のブラインド効果装飾物。
【請求項３】
第１のパターン層は所定の面積を有する２次元形状の層であり、第２のパターン層は所定の面積を有する２次元形状の層である
請求項１記載のブラインド効果装飾物。
【請求項４】
基材の表面もしくは裏面に、または基材の表面および裏面に光透過性を有する着色層が設けられた
請求項１から請求項３のうちのいずれか１項に記載のブラインド効果装飾物。
【発明の詳細な説明】
【技術分野】
【０００１】
本発明は、見る角度を変えることにより絵柄（文字も含む）が視認可能になるブラインド効果装飾物に関する。
【背景技術】
【０００２】
自動車における車内実装品等おいて、本来の表示機能の他に、装飾的な機能が求められることがある。車内実装品等に求められる装飾的な機能として、視認者が見る角度に応じて異なる見え方を提供できれば、車内実装品等の装飾効果が大きくなる。
【０００３】
視認者が見る角度に応じて異なる見え方を呈する印刷物として、例えば、レンチキュラーレンズを用いたレンチキュラーがある（例えば、特許文献１参照）。レンチキュラーは、見る角度によって絵柄が変化したり立体的な視認状態が得られたりする印刷物である。
【先行技術文献】
【特許文献】
【０００４】
【特許文献１】特開２０００−１５５３８０号公報（段落０００４−００１３）
【発明の概要】
【発明が解決しようとする課題】
【０００５】
レンチキュラーでは、レンチキュラーレンズを構成する多数の凸レンズと印刷画像との位置合わせを正確に行う必要がある。特許文献１に記載されたレンチキュラーを作製する場合に、スクリーン印刷によって多数の凸レンズを形成するが、凸レンズと印刷画像とが精度よく位置合わせされなければならないことに変わりはない。また、レンチキュラーでは、絵柄を見せないようにすることは難しい。
【０００６】
そこで、本発明は、見る角度を変えた場合に絵柄が現れ、正面から見た場合には絵柄が見えないようにする装飾物を提供することを目的とする。
【課題を解決するための手段】
【０００７】
本発明によるブラインド効果装飾物は、透過性を有する基材の裏面に配された加飾のための複数の第１のパターン層を有し、複数の第１のパターン層の間にレンズ効果をもつ透明パターン層が配置され、第１のパターン層と透明パターン層とを覆うように光反射層が配され、透過性を有する基材の表面に裏面の複数の第１のパターンの隙間を埋めるように配された第２のパターン層を有することを特徴とする。
【発明の効果】
【０００８】
本発明によれば、正面からは絵柄（文字も含む）が見えず、見る角度を変えることにより絵柄（文字も含む）が現れるブラインド効果装飾物を得ることができる。
【図面の簡単な説明】
【０００９】
【図１】本発明によるブラインド効果装飾物の第１の実施例を示す説明図および断面図である。
【図２】ブラインド効果装飾物を正面から見た場合に何も絵柄が見えないことを説明するための説明図である。
【図３】ブラインド効果装飾物を示す断面図である。
【図４】ブラインド効果装飾物の見え方を説明するための説明図である。
【図５】ブラインド効果装飾物の第２の実施例を示す断面図である。
【図６】第２の実施例での線状パターンではなく点状パターンによる作用を示す模式図である。
【図７】ブラインド効果装飾物の第３の実施例を示す断面図である。
【図８】ブラインド効果装飾物の第４の実施例を示す断面図である。
【図９】ブラインド効果装飾物の第５の実施例を示す断面図である。
【図１０】ブラインド効果装飾物の第６の実施例を示す断面図である。
【図１１】ブラインド効果装飾物の第７の実施例を示す断面図である。
【図１２】ブラインド効果装飾物の第７の実施例を示す断面図である。
【図１３】ブラインド効果装飾物の第７の実施例を示す断面図である。
【図１４】ブラインド効果装飾物の第７の実施例を示す断面図である。
【図１５】ブラインド効果装飾物の第８の実施例を示す断面図である。
【図１６】ブラインド効果装飾物の第９の実施例を示す断面図である。
【図１７】ブラインド効果装飾物の第９の実施例を示す断面図である。
【図１８】ブラインド効果装飾物の第９の実施例を示す断面図である。
【図１９】ブラインド効果装飾物の第１０の実施例を示す断面図である。
【図２０】本発明によるブラインド効果装飾物の作用を説明するための説明図である。
【発明を実施するための形態】
【００１０】
実施例１．
図１は、本発明によるブラインド効果装飾物の第１の実施例を示す説明図および断面図である。ブラインド効果装飾物１は、図１（ｂ）に示すように、透過性を有する基材（透明基材）２の裏面に並行に配置された第１のパターン層としての加飾線状パターン層３と、その隙間に配置されたレンズ効果（入射した光を集束させる凸レンズの作用）を持つ透明パターン層４と、加飾線状パターン層３と透明パターン層４とを覆うように配置された光反射層５とを備え、さらに透過性を有する基材２の表面に、裏面の加飾線状パターン層３の隙間を埋めるように配置された第２のパターン層としての線状パターン層６を備えている。なお、透明パターン層４と光反射層５とによって実質的に凹面鏡が形成され、基材２の側から入射した光を集束させるように反射する。また、加飾線状パターン層３および線状パターン層６は、光を透過させない材料で形成される。加飾線状パターン層３および線状パターン層６が光を吸収する材料で形成されている場合には、それらは黒く視認される。
【００１１】
図１（ａ）に示すように、ブラインド効果装飾物１を正面から見た場合は１−Ａ（丸付Ａ）に示すように何も絵柄が見えないが、見る角度を変えた場合には、１−Ｂ（丸付Ｂ）または１−Ｃ（丸付Ｃ）に示すような絵柄が現れる。すなわち、ブラインド効果装飾物１に対する観察者の視線の角度が変わると、観察者は、絵柄を視認することが可能になる。なお、図１（ｂ）における丸付Ａ、丸付Ｂ、丸付Ｃから出ている矢印が、ブラインド効果装飾物１を見る方向であり、それぞれ、図１（ａ）における１−Ａ（丸付Ａ）、１−Ｂ（丸付Ｂ）、１−Ｃ（丸付Ｃ）の見え方に対応している。
【００１２】
図２は、ブラインド効果装飾物１を正面から見た場合に何も絵柄が見えないことを説明するための説明図である。基材２の表面には、図２（ａ）に示すように、線状パターン層６が形成され、基材２の裏面では、図２（ｂ）に示すように、加飾線状パターン層３で、草状の絵柄および花の絵柄が形成されているとする。正面（丸付Ａの方向）からブラインド効果装飾物１を見た場合には、基材２の表面に形成されている層と裏面に形成されている層とが重なり合って、絵柄が見えないことになる。
【００１３】
図３は、ブラインド効果装飾物を示す断面図である。図３（ａ）に示されたものは図１（ｂ）に示されたものと同じであるが、図３（ｂ），（ｃ）は、図３（ａ）に示されたものの変形例を示す。
【００１４】
図３（ａ）に示すようにブラインド効果装飾物１が形成されている場合には、丸付Ａからブラインド効果装飾物１を見た場合には、図１（ａ）に示されたように、何の絵柄も見えない。丸付Ｂからブラインド効果装飾物１を見た場合には、図１（ａ）に示されたように、草状の絵柄が見える。丸付Ｃからブラインド効果装飾物１を見た場合には、図１（ａ）に示されたように、花の絵柄が見える。このように、見る方向を変えることによって、異なる絵柄を視認者に視認させることができる。
【００１５】
また、図３（ｂ）に示すようにブラインド効果装飾物１が形成されている場合には、図３（ｂ）に示すＤから効果装飾物１を見た場合には絵柄が見えるが、Ｅから見た場合には何の絵柄も見えない。すなわち、Ｅから効果装飾物１を見た場合には、正面（丸付Ａの方向）から見た場合と同様に、絵柄が見えない。また、図３（ｂ）に示すようにブラインド効果装飾物１が形成されている場合にも、正面（図３（ｂ）において、ブラインド効果装飾物１の真上）から効果装飾物１を見た場合には絵柄は見えない。
【００１６】
また、図３（ｃ）に示すようにブラインド効果装飾物１が形成されている場合には、図３（ｃ）に示すＤから効果装飾物１を見た場合にも、Ｅから効果装飾物１を見た場合にも、同じ絵柄は見える。ただし、図３（ｃ）に示すようにブラインド効果装飾物１が形成されている場合にも、正面（図３（ｃ）において、ブラインド効果装飾物１の真上）から効果装飾物１を見た場合には絵柄は見えない。
【００１７】
図４は、ブラインド効果装飾物の見え方を説明するための説明図である。図４の左側に示されたものは、図１（ａ）に示されたものと同じであるが、図４の右側には、視点を、正面（図４の右側の上側のものに対応）、左（図４の右側の中央のものに対応）、右（図４の右側の下側のものに対応）にした場合の具体的な見え方が示されている。
【００１８】
以上のように、図１に示されたように形成されたブラインド効果装飾物１を見た場合に、正面からは絵柄（文字も含む）が見えず、見る角度を変えることにより絵柄（文字も含む）が現れることになる。
【００１９】
以下、図１に示されたブラインド効果装飾物１とは構造が異なるが、観察者の視線の角度が変わると絵柄を視認することが可能になる効果は同じであるブラインド効果装飾物の他の例を示す。
【００２０】
実施例２．
図５は、ブラインド効果装飾物の第２の実施例を示す断面図である。図６は、第２の実施例のブラインド効果装飾物の作用を示す模式図である。第２の実施例では、図１に示されたブラインド効果装飾物１の構造と同様に、基材（透明基材）２の裏面に、第１のパターン層としての加飾パターン層５３と、その隙間に配置されたレンズ効果を持つ透明パターン層５４と、加飾パターン層５３と透明パターン層５４とを覆うように配置された光反射層５５とを備え、さらに、透過性を有する基材２の表面に、裏面の加飾パターン層５３の隙間を埋めるように配置された第２のパターン層としてのパターン層５６を備えている。加飾パターン層５３、透明パターン層５４、光反射層５５およびパターン層５６の材質は、図１に示されたブラインド効果装飾物１における加飾線状パターン層３、透明パターン層４、光反射層５および線状パターン層６の材質と同じでよい。
【００２１】
図１に示されたブラインド効果装飾物１では、基材２の裏面において加飾線状パターン層３が並行に配置されているが、本実施例では、加飾パターン層５３の形状は、線状ではなく、所定の面積を有する円形、四角形、多角形等の２次元形状である。また、パターン層５６の形状も、図１に示されたブラインド効果装飾物１における線状パターン層６の形状とは異なり、所定の面積を有する２次元形状である。以下、所定の面積を有する円形、四角形、多角形等の２次元形状によるパターンを点状パターンということがある。
【００２２】
図６（Ａ）に示すように、加飾パターン層５３およびパターン層５６が配置された場合には、透明パターン層５４と光反射層５５との重なり部分が線状部分５８になる。また、図６（Ｂ）に示すように、加飾パターン層５３およびパターン層５６が配置された場合には、透明パターン層５４と光反射層５５との重なり部分が枠状部分５９になる。従って、ブラインド効果装飾物を斜めから見た場合に、線状部分５８や枠状部分５９が視認される。
【００２３】
すなわち、図５に示されたブラインド効果装飾物を正面（図３（ａ）における丸付Ａの方向）から見た場合には絵柄は視認されず、斜め方向（図３（ａ）における丸付Ｂまたは丸付Ｃの方向）からブラインド効果装飾物を見た場合には、点状パターンにおける円形、四角形、多角形等にもとづいて形成される絵柄すなわち線状部分５８や枠状部分５９が視認される。
【００２４】
なお、本実施例のブラインド効果装飾物は、加飾線状パターン層３に代えて加飾パターン層５３が設けられているブラインド効果装飾物であるが、加飾線状パターン層３と加飾パターン層５３とがともに設けられていてもよい。
【００２５】
実施例３．
図７は、ブラインド効果装飾物の第３の実施例を示す断面図である。図１に示されたレンズ効果を持つ透明パターン層４は、単層であっても多層であってもブラインド効果装飾物の効果を呈するが、本実施例では、透明パターン層を多層（一例として、２層）にする。
【００２６】
具体例として、図７に示すように、レンズ効果を持つ透明パターン層４の上に、さらに透明パターン層７１を積層する。なお、図１に示されたブラインド効果装飾物１の構造と同様に、基材（透明基材）２の裏面に、加飾線状パターン層３と、その隙間に配置されたレンズ効果を持つ透明パターン層４と、加飾線状パターン層３と透明パターン層４とを覆うように配置された光反射層５とを備え、さらに透過性を有する基材２の表面に、裏面の加飾線状パターン層３の隙間を埋めるように配置された線状パターン層６を備えている。
【００２７】
図７に示すようにレンズ効果を持つ透明パターン層４，７１を積層した場合には、異なる斜め方向（例えば、図３（ａ）における丸付Ｂと丸付Ｃの方向）からブラインド効果装飾物を見たときに、絵柄の立体感が異なって見え、表現に奥行きを持たせることができる。
【００２８】
実施例４．
図８は、ブラインド効果装飾物の第４の実施例を示す断面図である。本実施例では、ブラインド効果装飾物は、異なる色のレンズ効果を持つ透明パターン層を有している。具体例として、透明パターン層４と、透明パターン層４の色とは異なる色で着色された透明パターン層８１と、透明パターン層４の色および透明パターン層８１の色とは異なる色で着色された透明パターン層８２とを有する。なお、図１に示されたブラインド効果装飾物１の構造と同様に、基材（透明基材）２の裏面に、加飾線状パターン層３と、その隙間に配置されたレンズ効果を持つ透明パターン層４，８１，８２と、加飾線状パターン層３と透明パターン層４とを覆うように配置された光反射層５とを備え、さらに透過性を有する基材２の表面に、裏面の加飾線状パターン層３の隙間を埋めるように配置された線状パターン層６を備えている。
【００２９】
また、透明パターン層４，８１，８２は透明性を確保されている必要はあるが、それらの層の色の種類や、着色された層の数は任意である。
【００３０】
図８に示すようにレンズ効果を持つ透明パターン層４，８１，８２が設られている場合には、異なる斜め方向（例えば、図３（ａ）における丸付Ｂと丸付Ｃの方向）からブラインド効果装飾物を見たときに、異なる色で絵柄（文字を含む）を視認することができる。
【００３１】
実施例５．
図９は、ブラインド効果装飾物の第５の実施例を示す断面図である。本実施例では、ブラインド効果装飾物における光反射層として、透過性を有する光反射層９１が設けられている。なお、図１に示されたブラインド効果装飾物１の構造と同様に、基材（透明基材）２の裏面に、加飾線状パターン層３と、その隙間に配置されたレンズ効果を持つ透明パターン層４と、加飾線状パターン層３と透明パターン層４とを覆うように配置された光反射層９１とを備え、さらに透過性を有する基材２の表面に、裏面の加飾線状パターン層３の隙間を埋めるように配置された線状パターン層６を備えている。
【００３２】
例えば、蒸着によって光反射層９１にハーフミラー材料を付着させたり、光反射層９１としてハーフミラー箔を用いることによって、表面からの光を反射し、かつ裏面からの光を透過する特性を付与することができる。
【００３３】
実施例６．
図１０は、ブラインド効果装飾物の第６の実施例を示す断面図である。本実施例では、ブラインド効果装飾物における光反射層として、着色された光反射層１０１が設けられている。なお、図１に示されたブラインド効果装飾物１の構造と同様に、基材（透明基材）２の裏面に、加飾線状パターン層３と、その隙間に配置されたレンズ効果を持つ透明パターン層４と、加飾線状パターン層３と透明パターン層４とを覆うように配置された光反射層５，９１とを備え、さらに透過性を有する基材２の表面に、裏面の加飾線状パターン層３の隙間を埋めるように配置された線状パターン層６を備えている。
【００３４】
また、光反射層１０１は、少なくとも表面からの光を反射する必要はあるが、光反射層１０１の色の種類や、着色された層の数は任意である。
【００３５】
図１０に示すように、光反射層５の色とは異なる色で着色された光反射層１０１が設けられている場合には、異なる斜め方向（例えば、図３（ａ）における丸付Ｂと丸付Ｃの方向）からブラインド効果装飾物を見たときに、異なる色で絵柄を視認することができる。
【００３６】
なお、第３〜第６の実施例のブラインド効果装飾物は、図１に示された第１の実施例を基本にして種々の工夫が施されたブラインド効果装飾物であるが、加飾線状パターン層３に代えて加飾パターン層５３が設けられている第２の実施例を基本にしてもよい。
【００３７】
実施例７．
基材（透明基材）２の表面または裏面に透過性を有する着色層を設けると、意匠としての表現の幅を広げることができる。図１１〜図１４のそれぞれは、基材２の表面または裏面に透過性を有する着色層１１１，１２１，１３１，１４１が設けられたブラインド効果装飾物である第７の実施例を示す断面図である。
【００３８】
図１１に示す例は、図１に示されたブラインド効果装飾物１における基材２の裏面であって基材２と加飾線状パターン層３との間に着色層１１１が設けられた例である。図１２に示す例は、図１に示されたブラインド効果装飾物１における基材２の裏面であって加飾線状パターン層３の裏側に亘って着色層１２１が設けられた例である。図１３に示す例は、図１に示されたブラインド効果装飾物１における基材２の裏面であって加飾線状パターン層３および透明パターン層４の裏側に着色層１３１が設けられた例である。図１４に示す例は、図１に示されたブラインド効果装飾物１における基材２の表面であって基材２と線状パターン層６との間に着色層１４１が設けられた例である。
【００３９】
なお、本実施例では、図１に示された第１の実施例を基本にして着色層１１１，１２１，１３１，１４１が設けられたブラインド効果装飾物であるが、加飾線状パターン層３に代えて加飾パターン層５３が設けられている第２の実施例を基本にしてもよい。
【００４０】
また、光反射層９１が設けられている第５の実施例（図９参照）を基本にして着色層１１１，１２１，１３１，１４１を設けた場合には、さらに加飾性を向上させることができる。
【００４１】
実施例８．
図１５は、ブラインド効果装飾物の第８の実施例を示す断面図である。図１に示されたブラインド効果装飾物１では、基材２の裏面に並行に配置された加飾線状パターン層３と、裏面の加飾線状パターン層３の隙間を埋めるように基材２の表面に配置された線状パターン層６とが設けられていたが、それらとして着色された層を用いてもよい。本実施例では、基材２の裏面において着色された加飾線状パターン層１５１，１５２が設けられ、加飾線状パターン層１５１，１５２の隙間を埋めるように基材２の表面において着色された線状パターン層１５３，１５４が設けられている。
【００４２】
加飾線状パターン層１５１，１５２および線状パターン層１５３，１５４の色の種類や、着色された層の数は任意である。また、ソリッドカラー、メタリックカラー、スモーク等の透過性を有する層であってもよい。
【００４３】
なお、本実施例では、図１に示された第１の実施例を基本にして加飾線状パターン層１５１，１５２および線状パターン層１５３，１５４が付加されたブラインド効果装飾物であるが、線状のパターン層に代えて、円形、四角形、多角形等のパターン層が設けられている第２の実施例を基本にしてもよい。
【００４４】
実施例９．
ブラインド効果装飾物の一部または全体を合成樹脂で一体化するようにしてもよい。図１６〜図１８のそれぞれは、ブラインド効果装飾物の第９の実施例であって、一体化される前のブラインド効果装飾物をインサート品として金型にセットし、そこに合成樹脂を射出成型によって充填するインサート成形によって一体化されたブラインド効果装飾物を示す断面図である。
【００４５】
図１６に示す例は、図１に示されたブラインド効果装飾物１に対して裏面に合成樹脂１６１を充填した場合の例である。図１７に示す例は、図１に示されたブラインド効果装飾物１に対して表面に合成樹脂１７１を充填した場合の例である。図１８に示す例は、図１に示されたブラインド効果装飾物１に対して表面および裏面に合成樹脂１８１，１８２を充填した場合の例である。
【００４６】
なお、本実施例では、図１に示された第１の実施例を基本にして表面もしくは裏面、または表面および裏面を一体化する用にしたが、加飾線状パターン層３に代えて加飾パターン層５３が設けられている第２の実施例を基本にしてもよい。
【００４７】
実施例１０．
図１９は、ブラインド効果装飾物の第１０の実施例を示す断面図である。図１９に示すブラインド効果装飾物は、図９に示された透過性を有する光反射層が設けられた第５の実施例と、図１５に示された第８の実施例（特に、加飾線状パターン層および線状パターン層が透過性を有する場合）とが組み合わされたブラインド効果装飾物である。図１９に示されたブラインド効果装飾物１は、基材２の裏面に並行に配置された透過性を有する加飾線状パターン層１９１と、その隙間に配置されたレンズ効果を持つ透明パターン層４と、加飾線状パターン層１９１と透明パターン層４とを覆うように配置されたハーフミラー等の透過性を有する光反射層１９２とを備え、さらに透過性を有する基材２の表面に、裏面の加飾線状パターン層１９１の隙間を埋めるように配置された透過性を有する線状パターン層１９３を備えている。
【００４８】
第５の実施例と第８の実施例とを組合せることによって、裏面から光を透過させることができるブラインド効果を有するブラインド効果装飾物を得ることができる。
【００４９】
図２０は、本発明によるブラインド効果装飾物の作用を説明するための説明図である。ここでは、図１に示された第１の実施例のブラインド効果装飾物１を例にするが、他の実施例の場合も同様である。
【００５０】
図２０（Ａ）に示すように、正面からブラインド効果装飾物を見た場合には（視点Ｂの場合）、表面に形成されている線状パターン層６の隙間を通過した光は、裏面に形成されている加飾線状パターン層３では反射しないので、観察者は、絵柄を見ることはできない。加飾線状パターン層３が光を吸収する材料で形成されている場合には、黒く視認される。斜めからブラインド効果装飾物を見た場合には（視点Ａおよび視点Ｃの場合）、表面に形成されている線状パターン層６の隙間を通過した光は、裏面に形成されている光反射層５（図２０において図示せず）で反射された後、透明パターン層４を通過し（図２０（Ｂ）参照）、線状パターン層６の隙間から出射する。反射光が線状パターン層６の隙間を通過しやすいように、線状パターン層６の隙間の方向に凹面鏡の焦点が形成されるように、透明パターン層４の曲面が形成される。よって、観察者は、絵柄を視認することができる。なお、図２０（Ｃ）に示すように、レンズ効果を持たない透明パターン層４Ａ（正反射するような層）が設けられている場合には、表面に形成されている線状パターン層６の隙間を通過した光は線状パターン層６の隙間に戻らず、観察者が斜めから見ても、絵柄の視認は困難である。
【符号の説明】
【００５１】
１      ブラインド効果装飾物
２      透過性を有する基材（透明基材）
３      加飾線状パターン層
４，５４，７１  レンズ効果を持つ透明パターン層
５，５５  光反射層
６      線状パターン層
５３    加飾パターン層
５６    パターン層
５８    線状部分
５９    枠状部分
８１，８２  着色されたレンズ効果を持つ透明パターン層
９１    透過性を有する光反射層
１０１  着色された光反射層
１１１，１２１，１３１，１４１  透過性を有する着色層
１５１，１５２  着色された加飾線状パターン層
１５３，１５４  着色された線状パターン層
１６１，１７１，１８１，１８２  合成樹脂
１９１  透過性を有する加飾線状パターン層
１９２  透過性を有する光反射層
１９３  透過性を有する線状パターン層
【図５】
2010111110.tif 000003
【図６】
2010111110.tif 000004
【図７】
2010111110.tif 000005
【図８】
2010111110.tif 000006
【図９】
2010111110.tif 000007
【図１０】
2010111110.tif 000008
【図１１】
2010111110.tif 000009
【図１２】
2010111110.tif 000010
【図１３】
2010111110.tif 000011
【図１４】
2010111110.tif 000012
【図１５】
2010111110.tif 000013
【図１６】
2010111110.tif 000014
【図１７】
2010111110.tif 000015
【図１８】
2010111110.tif 000016
【図１９】
2010111110.tif 000017
【図２０】
2010111110.tif 000018
【図１】
2010111110.tif 000019
【図２】
2010111110.tif 000020
【図３】
2010111110.tif 000021
【図４】
2010111110.tif 000022